(57)【要約】【課題】  腰部に不要な負担を与えずにバランス良く腰から下半身にかけての柔軟性および筋力を養い、その結果、骨盤の歪みを矯正することができ、かつ、休息時にはリクライニングシートとしての利用が可能な骨盤矯正チェアを提供すること。【解決手段】  座部と、該座部に傾倒自在に設けられた背もたれ部と、脚部と、該座部に支持部を介して接合された足置き台とからなる骨盤矯正チェアであって、該足置き台が該座部に近接もしくは離反する方向に移動自在に設けられていることを特徴とする骨盤矯正チェア。【選択図】  図１
0003123719.tif 000002
【実用新案登録請求の範囲】
【請求項１】
座部と、該座部に傾倒自在に設けられた背もたれ部と、該座部に固定された脚部に支持部を介して結合された足置き台とを備えたリクライニングチェアであって、該足置き台が前後方向に移動自在に設けられていることを特徴とするリクライニングチェア。
【請求項２】
前記足置き台が支持部に傾倒自在に設けられたことを特徴とする請求項１記載のリクライニングチェア。
【請求項３】
前記支持部が前記足置き台の移動に抵抗を加える手段を備えたことを特徴とする請求項１もしくは請求項２の何れかの項記載のリクライニングチェア。
【請求項４】
前記足置き台の表面に突部を形成したことを特徴とする請求項１ないし請求項３の何れかの項記載のリクライニングチェア。
【請求項５】
前記支持部の下端部にキャスターが設けられていることを特徴とする請求項１ないし請求項４の何れかの項記載のリクライニングチェア。
【考案の詳細な説明】
【技術分野】
【０００１】
本考案は、リクライニングチェアに関し、更に詳細には、該チェアに座った状態で足置き台を足で座部に引き寄せる運動により、腰から下半身にかけての柔軟性および筋力を養い、その結果、骨盤の歪みを矯正することができるとともに、休息用としても利用可能なリクライニングチェアに関する。
【背景技術】
【０００２】
骨盤の歪みに起因する腰痛の改善には、適切な運動による腰から下半身にかけての柔軟性および筋力の向上が不可欠であり、従来からかかる柔軟性および筋力を養うための器具が開発されていた。
【０００３】
しかし、従来のこれらの器具では、腰部に不要な負担を与えずにバランス良く柔軟性および筋力を養うことは困難であった。すなわち、特許文献１に開示された腰部屈伸運動矯正装置のように機械的かつ強制的に運動させる装置では、かえって腰部に負担がかかり腰痛が悪化するおそれあるだけでなく、強制的運動なので筋力アップにはならず、また、特許文献２に開示された健康維持を目的とする室内運動器具のような運動器具は、腰・脚・腕などの筋力に負荷がかかるため、筋力アップにはなるものの、押圧による負荷はかえって腰部に対する負担となり、腰痛が悪化しかねないという問題を有していた。
【０００４】
さらには、従来の器具は、いずれも家具としての椅子の機能や外観が欠如していたため、不使用時には邪魔になったり、家具等インテリアとの調和を図ることも困難なものであった。
【特許文献１】特開平７−８８１４２号
【特許文献２】特開２００４−１６５７７号
【考案の開示】
【考案が解決しようとする課題】
【０００５】
したがって本考案の課題は、腰部に不要な負担を与えずにバランス良く腰から下半身にかけての柔軟性および筋力を養い、その結果、骨盤の歪みを矯正することができるとともに、休息用としても利用可能なリクライニングチェアを提供することである。
【課題を解決するための手段】
【０００６】
本考案は、上記課題を解決するものであり、座部と、該座部に傾倒自在に設けられた背もたれ部と、該座部に固定された脚部に支持部を介して結合された足置き台とを備えたリクライニングチェアであって、該足置き台が前後方向に移動自在に設けられていることを特徴とするリクライニングチェアである。
【考案の効果】
【０００７】
本考案のリクライニングチェアは、いわゆるリクライニングチェアと前後に移動自在の足置き台の組み合わせからなり、座った姿勢のまま足で足置き台を手前に引き寄せることにより、無理な負担を腰部に与えることなく下半身の運動・ストレッチを行うことができるものである。また、運動を行わないときには、通常のリクライニングチェアとしての利用も可能なものである。
【考案を実施するための最良の形態】
【０００８】
以下、本考案の実施態様を示す図面を挙げ、本考案を更に詳しく説明するが、本考案はこれらに何ら制約されるものではない。
【０００９】
図１は本考案に係るリクライニングチェアの側面図、図２は本考案に係るリクライニングリクライニングチェアの平面図、図３は本考案に係るリクライニングチェアの足置き台を収納した状態を示した側面図、図４は本考案に係るリクライニングチェアの足置き台の一実施態様を示す斜視図、図５ないし図７は本考案に係るリクライニングチェアの使用状態を示す側面図である。各図中、1はリクライニングチェア本体を、２は座部を、３は背もたれ部を、４は足置き台を、５は支持部、６は脚部を示し、さらに、２１はリクライニング調節レバーを、２２は座部高さ調節つまみを、４１は突部を、５１は結合部を、５２はキャスターをそれぞれ示す。
【００１０】
図１に示すように、本考案のリクライニングチェアは、座部２の後部に背もたれ部３が傾倒自在に設けられており、また、座部２の前方には、足置き台４が座部２の座面よりもやや高い位置になるよう支持部５を介して設けられている。この足置き台４は、座部２に対して近接もしくは離反する方向に移動させることが可能である。すなわち、支持部５が結合部５１において脚部６に伸縮自在に結合されているため、足置き台４に足を掛けて、手前座部２側に足を引き付ければ、足置き台４は座部２に対して近接する方向に移動し、反対に、足で足置き台４を前方に押してやれば、足置き台４は座部２から離反する方向に移動する。
【００１１】
足置き台４は支持部５に傾倒自在に取り付けられているので、使用時には、足置き台４を図３のように傾斜させておくことで足置き台４の上端部に足を掛けやすくなり、また、休息時には図７のように平行状態に保って足置き台４の天面に足を載せることができる。
【００１２】
また、図４に示すように足置き台４の表面には突部４１を形成してもよく、その場合、足腰の運動を行うのと同時に該突部４１が足裏のツボを刺激するので、下半身の運動を行いながら全身の血液循環の改善も図ることが出来る。
【００１３】
以下に、本考案のリクライニングチェアの使用方法について説明する。使用者は、図５の状態で座部２に深く腰掛け、足の裏を足置き台４の上端部にかける。本考案のチェアは、足置き台４が座部２の前部に収納された図３のような状態で置かれている場合、腰痛を患う使用者が座っていきなり足腰を屈伸して足置き台４に足を掛けることは困難であるので、そのような場合には、前もって、手で足置き台４を前方に引き出してやればよい。
【００１４】
次に、図６に示すように使用者は足置き台４を座部２に対して引き寄せるように足を屈伸させる。自分の腰痛や柔軟性に応じて無理のない程度に足置き台４を座部２側に引き寄せたら、図５に示すように、また足置き台４を座部２から遠ざかるように足で前方に押していく。この一連の運動を繰り返すことにより、使用者の足先から腰に至るまで関節・筋肉が屈伸されるので、腰部に無理な負担を与えず、適度な下半身の運動が実現できる。
【００１５】
使用者の腰痛がひどい場合には、かかる屈伸運動は無理な抵抗なく行える方が望ましいが、腰痛が改善されるに従ってより筋力を向上する要請も強まるので、その場合には、結合部５１に足置き台４の移動に抵抗を与えるような手段を設けてもよい。かかる抵抗付加手段としては、例えば、弾性部材のコイルばね、つる巻きばね、ぜんまいばね等のほか、油圧シリンダや空圧シリンダなどを利用することができる。また、この抵抗力は、段階的に強弱を調整可能なものとしてもよい。このように、足置き台４の移動に抵抗力が加われば、足置き台４を前後に移動させるだけで、より効果的に筋力を向上させることができる。
【００１６】
休息時には、図７に示すように、背もたれ部３を適当な角度に倒し、足置き台４を適当な位置まで移動させ、且つ、平行状態に保つことにより足を載せて休息することができる。なお、通常の椅子として使用する場合には、図３のように、足置き台４を座部２の前面部に収納すればよい。
【００１７】
図８は、支持部の下端部にキャスター５２が設けられているものであり、このタイプのものは、接合部５１への集中的な負荷を軽減するので、よりスムーズな足置き台４の移動が可能となるとともに、支持部５を最長に繰り出して足置き台４に足を載せた場合でも、安定的に足置き台４を支持することが可能となる。
【産業上の利用可能性】
【００１８】
本考案のリクライニングチェアは、骨盤の歪みを矯正するという治療目的に使用できることはいうまでもなく、運動不足の解消や、シェイプアップなどの美容効果も期待できるものである。また、運動用に使用していない時には、通常のリクライニングチェアとしての機能や外観も備えているので、家具のひとつとしてインテリアとも十分調和するものである。
【図面の簡単な説明】
【００１９】
【図１】本考案に係るリクライニングチェアの側面図。
【図２】本考案に係るリクライニングチェアの平面図。
【図３】本考案に係るリクライニングチェアの足置き台を収納した状態を示した側面図。
【図４】本考案に係るリクライニングチェアの足置き台の一実施態様を示す斜視図。
【図５】本考案に係るリクライニングチェアの使用時の状態を示す側面図。
【図６】本考案に係るリクライニングチェアの使用時の状態を示す側面図。
【図７】本考案に係るリクライニングチェアでの休息時の状態を示した側面図。
【図８】本考案に係るリクライニングチェアの別の実施態様を示す側面図。
【符号の説明】
【００２０】
１    …  …  リクライニングチェア本体
２    …  …  座部
３    …  …  背もたれ部
４    …  …  足置き台
５    …  …  支持部
６    …  …  脚部
２１    …  …  リクライニング調節レバー
２２    …  …  座部高さ調節つまみ
４１    …  …  突部
５１    …  …  結合部
５２    …  …  キャスター
以    上
【図１】
0003123719.tif 000003
【図２】
0003123719.tif 000004
【図３】
0003123719.tif 000005
【図４】
0003123719.tif 000006
【図５】
0003123719.tif 000007
【図６】
0003123719.tif 000008
【図７】
0003123719.tif 000009
【図８】
0003123719.tif 000010